(57)【要約】      （修正有）【課題】発色性に優れ、且つ、耐光性および耐オゾン性にも優れるインクジェット記録用水性インクを提供する。【解決手段】着色剤、水および水溶性有機溶剤を含むインクジェット記録用水性インクであって、前記着色剤が、特殊アントラピリドン系染料および染料（２）を含む。水性インクは、発色性、耐オゾン性および耐光性のすべての性能に優れる。染料（２）：一般式（２）で表される。2011111608.tif 000019【選択図】なし【特許請求の範囲】
【請求項１】
着色剤、水および水溶性有機溶剤を含むインクジェット記録用水性インクであって、
前記着色剤が、下記の染料（１）および染料（２）を含むことを特徴とするインクジェット記録用水性インク。
染料（１）：一般式（１）で表される染料
染料（２）：一般式（２）で表される染料
【化１】
2011111608.tif 000017
一般式（１）において、
ｎ１は、１または２であり、
３つのＭは、それぞれ、ナトリウムまたはアンモニウムであり、３つのＭは同一でも異なっていてもよく、
Ｒ１は、カルボキシ基で置換された炭素原子数１〜８のモノアルキルアミノ基である。
【化２】
2011111608.tif 000018
一般式（２）において、
ｒは、０、１または２であり、
Ｒ２、Ｒ３およびＲ４は、それぞれ、置換または無置換のアルキル基、置換または無置換のアルコキシ基、ハロゲン原子、水素原子、ヒドロキシル基、置換または無置換のカルバモイル基、置換または無置換のスルファモイル基、置換または無置換のアミノ基、ニトロ基、スルホン酸エステル基、置換または無置換のアルキルスルホニル基、置換または無置換のアリールスルホニル基、カルボキシ基、カルボン酸エステル基であり、Ｒ２、Ｒ３およびＲ４は同一でも異なっていてもよく、
Ｒ５、Ｒ６およびＲ７は、それぞれ、水素原子、置換または無置換のアルキル基、置換または無置換のアルケニル基、置換または無置換のアリール基、置換または無置換のアラルキル基、置換または無置換の脂環基、置換または無置換のヘテロ環基であり、Ｒ５、Ｒ６およびＲ７は同一でも異なっていてもよい。
【請求項２】
前記水性インクにおける前記染料（１）と前記染料（２）との重量比が、染料（１）：染料（２）＝７０：３０〜９０：１０である請求項１記載のインクジェット記録用水性インク。
【請求項３】
前記水性インク全量に対し、前記染料（１）と前記染料（２）との合計配合量が、２重量％〜６重量％である請求項１または２記載のインクジェット記録用水性インク。
【請求項４】
一般式（２）において、
ｒは、０であり、
Ｒ２は、カルボキシ基、カルバモイル基、トリフルオロメチル基またはスルファモイル基であり、
Ｒ３、Ｒ４およびＲ６は、それぞれ、水素原子であり、
Ｒ５は、カルボキシ基またはスルファモイル基で置換されてもよいフェニル基またはカルボキシアルキル基であり、
Ｒ７は、水素原子またはアルキル基である請求項１から３のいずれか一項に記載のインクジェット記録用水性インク。
【請求項５】
インクジェット記録用水性インクを含むインクカートリッジであって、前記水性インクが、請求項１から４のいずれか一項に記載のインクジェット記録用水性インクであることを特徴とするインクカートリッジ。
【請求項６】
インク収容部およびインク吐出手段を含み、前記インク収容部に収容されたインクを前記インク吐出手段によって吐出するインクジェット記録装置であって、前記インク収容部に、請求項５記載のインクカートリッジが収容されていることを特徴とするインクジェット記録装置。
【発明の詳細な説明】
【技術分野】
【０００１】
本発明は、インクジェット記録用水性インク、インクカートリッジおよびインクジェット記録装置に関する。
【背景技術】
【０００２】
インクジェット記録用マゼンタインクとして、発色性に優れるＣ．Ｉ．アシッドレッド５２や、Ｃ．Ｉ．アシッドレッド２８９を含むインクが知られている（例えば、特許文献１参照）。しかし、前記マゼンタ染料は、耐オゾン性および耐光性が充分でない。
【先行技術文献】
【特許文献】
【０００３】
【特許文献１】特開平９−１３７０９８号公報
【発明の概要】
【発明が解決しようとする課題】
【０００４】
そこで、本発明は、発色性に優れ、且つ、耐オゾン性および耐光性にも優れるインクジェット記録用水性インクを提供することを目的とする。
【課題を解決するための手段】
【０００５】
前記目的を達成するために、本発明のインクジェット記録用水性インクは、着色剤、水および水溶性有機溶剤を含むインクジェット記録用水性インクであって、
前記着色剤が、下記の染料（１）および染料（２）を含むことを特徴とする。
染料（１）：一般式（１）で表される染料
染料（２）：一般式（２）で表される染料
【化１】
2011111608.tif 000002
一般式（１）において、
ｎ１は、１または２であり、
３つのＭは、それぞれ、ナトリウムまたはアンモニウムであり、３つのＭは同一でも異なっていてもよく、
Ｒ１は、カルボキシ基で置換された炭素原子数１〜８のモノアルキルアミノ基である。
【化２】
2011111608.tif 000003
一般式（２）において、
ｒは、０、１または２であり、
Ｒ２、Ｒ３およびＲ４は、それぞれ、置換または無置換のアルキル基、置換または無置換のアルコキシ基、ハロゲン原子、水素原子、ヒドロキシル基、置換または無置換のカルバモイル基、置換または無置換のスルファモイル基、置換または無置換のアミノ基、ニトロ基、スルホン酸エステル基、置換または無置換のアルキルスルホニル基、置換または無置換のアリールスルホニル基、カルボキシ基、カルボン酸エステル基であり、Ｒ２、Ｒ３およびＲ４は同一でも異なっていてもよく、
Ｒ５、Ｒ６およびＲ７は、それぞれ、水素原子、置換または無置換のアルキル基、置換または無置換のアルケニル基、置換または無置換のアリール基、置換または無置換のアラルキル基、置換または無置換の脂環基、置換または無置換のヘテロ環基であり、Ｒ５、Ｒ６およびＲ７は同一でも異なっていてもよい。
【発明の効果】
【０００６】
前記目的を達成するために、本発明者等は、一連の研究を重ねたところ、インクジェット記録用水性インクに前記染料（１）と前記染料（２）とを組み合わせて用いれば、発色性、耐オゾン性および耐光性のすべての性能に優れることを見出し、本発明に至った。
【図面の簡単な説明】
【０００７】
【図１】図１は、本発明のインクジェット記録装置の構成の一例を示す概略斜視図である。
【発明を実施するための形態】
【０００８】
本発明のインクジェット記録用水性インク（以下、単に「水性インク」または「インク」と言うことがある）について説明する。本発明の水性インクは、着色剤、水および水溶性有機溶剤を含む。前述のとおり、前記着色剤は、前記染料（１）および前記染料（２）を含む。
【０００９】
前述のとおり、前記染料（１）は、一般式（１）で表される染料である。
【００１０】
前述のとおり、一般式（１）において、
ｎ１は、１または２であり、
３つのＭは、それぞれ、ナトリウムまたはアンモニウムであり、３つのＭは同一でも異なっていてもよく、
Ｒ１は、カルボキシ基で置換された炭素原子数１〜８のモノアルキルアミノ基である。
一般式（１）で表される化合物は、３つのＭがすべてナトリウムである化合物（ナトリウム塩）であってもよいし、３つのＭがすべてアンモニウムである化合物（アンモニウム塩）であってもよいし、３つのＭの一つまたは二つがナトリウムであり残りがアンモニウムである化合物であってもよい。
前記染料（１）は、単一の前記化合物で構成されていてもよいし、２種以上の前記化合物を含む混合物であってもよい。
前記Ｍは、水性インク中で電離して、イオン（Ｎａ＋およびＮＨ４＋の少なくとも一方）となっていてもよい。
【００１１】
前記染料（１）の好ましい具体例としては、表１に示す染料（１−Ａ）〜（１−Ｅ）で表される化合物があげられる。
【００１２】
【表１】
2011111608.tif 000004
【００１３】
前記染料（１）は、従来公知の方法で製造できる。前記染料（１）の製造方法は、例えば、つぎのとおりである。
【００１４】
すなわち、まず、構造式（１１）で表されるアントラキノン化合物１モルと、ベンゾイル酢酸エチルエステル１．１モル〜３モルとを、キシレン等の極性溶媒中で、炭酸ナトリウム等の塩基性化合物の存在下、１３０℃〜１８０℃で、５時間〜１５時間反応させ、構造式（１２）で表される化合物を得る。
【００１５】
【化３】
2011111608.tif 000005
【００１６】
【化４】
2011111608.tif 000006
【００１７】
つぎに、得られた構造式（１２）で表される化合物１モルとメタアミノアセトアミド１モル〜５モルとを、Ｎ，Ｎ−ジメチルホルムアミド等の非プロトン性極性有機溶媒中で、炭酸ナトリウム等の塩基および酢酸銅等の銅触媒の存在下、１１０℃〜１５０℃で、２時間〜６時間、ウルマン反応により縮合させ、構造式（１３）で表される化合物を得る。
【００１８】
【化５】
2011111608.tif 000007
【００１９】
つぎに、得られた構造式（１３）で表される化合物を８％〜１５％の発煙硫酸中で、５０℃〜１２０℃でスルホ化すると同時に、アセチルアミノ基を加水分解することにより、構造式（１４）で表される化合物を得る。
【００２０】
【化６】
2011111608.tif 000008
【００２１】
つぎに、得られた構造式（１４）で表される化合物１モルと、構造式（１５）で表される化合物２モル〜２．５モルとを水中で、ｐＨ２〜９、２℃〜１５℃で、３０分〜１時間反応させる。得られた構造式（１６）で表される化合物に、Ｒ１に対応する化合物、すなわち「Ｒ１−Ｈ」等で表される化合物２モル〜５モルを、ｐＨ７〜１０、２０℃〜９０℃で、１０分〜１０時間反応させることにより、構造式（１６）中の脱離基ＸをＲ１で置換することにより、前記染料（１）を得ることができる。
【００２２】
【化７】
2011111608.tif 000009
【００２３】
【化８】
2011111608.tif 000010
【００２４】
前記染料（１）の配合量は、特に制限されない。水性インクに前記染料（１）を含ませることで、耐オゾン性および耐光性を向上させることができる。前記染料（１）の配合量は、前記水性インク全量に対し、例えば、０．１重量％〜１０重量％であり、好ましくは、１．４重量％〜５．４重量％であり、より好ましくは、１．６重量％〜４．８重量％である。
【００２５】
前述のとおり、前記染料（２）は、一般式（２）で表される染料である。
【００２６】
前述のとおり、一般式（２）において、
ｒは、０、１または２であり、
Ｒ２、Ｒ３およびＲ４は、それぞれ、置換または無置換のアルキル基、置換または無置換のアルコキシ基、ハロゲン原子、水素原子、ヒドロキシル基、置換または無置換のカルバモイル基、置換または無置換のスルファモイル基、置換または無置換のアミノ基、ニトロ基、スルホン酸エステル基、置換または無置換のアルキルスルホニル基、置換または無置換のアリールスルホニル基、カルボキシ基、カルボン酸エステル基であり、Ｒ２、Ｒ３およびＲ４は同一でも異なっていてもよく、
Ｒ５、Ｒ６およびＲ７は、それぞれ、水素原子、置換または無置換のアルキル基、置換または無置換のアルケニル基、置換または無置換のアリール基、置換または無置換のアラルキル基、置換または無置換の脂環基、置換または無置換のヘテロ環基であり、Ｒ５、Ｒ６およびＲ７は同一でも異なっていてもよい。
【００２７】
一般式（２）において、Ｒ２、Ｒ３およびＲ４における置換または無置換のアルキル基は、好ましくは、総炭素原子数が１〜９のアルキル基である。前記置換または無置換のアルキル基としては、例えば、メチル基、エチル基、ｎ−プロピル基、イソプロピル基、ｎ−ブチル基、トリフルオロメチル基、ジメチルアミノメチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００２８】
一般式（２）において、Ｒ２、Ｒ３およびＲ４における置換または無置換のアルコキシ基は、好ましくは、総炭素原子数が１〜９のアルコキシ基である。前記置換または無置換のアルコキシ基としては、例えば、メトキシ基、イソプロポキシ基、ｎ−ブトキシ基等があげられる。
【００２９】
一般式（２）において、Ｒ２、Ｒ３およびＲ４におけるハロゲン原子としては、例えば、フッ素原子、塩素原子、臭素原子、ヨウ素原子等があげられる。
【００３０】
一般式（２）において、Ｒ２、Ｒ３およびＲ４における置換または無置換のカルバモイル基としては、例えば、カルバモイル基、Ｎ，Ｎ−ジメチルカルバモイル基、フェニルカルバモイル基等があげられる。
【００３１】
一般式（２）において、Ｒ２、Ｒ３およびＲ４における置換または無置換のスルファモイル基としては、例えば、スルファモイル基、Ｎ−メチルスルファモイル基、Ｎ−エチルスルファモイル基、Ｎ−エチル−Ｎ−フェニルスルファモイル基、Ｎ，Ｎ−ジメチルスルファモイル基、ｐ−カルボキシフェニルスルファモイル基等があげられる。
【００３２】
一般式（２）において、Ｒ２、Ｒ３およびＲ４における置換または無置換のアミノ基としては、例えば、Ｎ−メチルアミノ基、カルバモイルアミノ基、Ｎ，Ｎ−ジエチルアミノ基、アセチルアミノ基等があげられる。
【００３３】
一般式（２）において、Ｒ２、Ｒ３およびＲ４におけるスルホン酸エステル基としては、例えば、フェノキシスルホニル基等があげられる。
【００３４】
一般式（２）において、Ｒ２、Ｒ３およびＲ４における置換または無置換のアルキルスルホニル基は、好ましくは、総炭素原子数が１〜９のアルキルスルホニル基である。前記置換または無置換のアルキルスルホニル基としては、例えば、ヒドロキシスルホニル基等があげられる。
【００３５】
一般式（２）において、Ｒ２、Ｒ３およびＲ４における置換または無置換のアリールスルホニル基は、好ましくは、総炭素原子数が６〜１５のアリールスルホニル基である。前記置換または無置換のアリールスルホニル基としては、例えば、ベンジルスルホニル基等があげられる。
【００３６】
一般式（２）において、Ｒ２、Ｒ３およびＲ４におけるカルボン酸エステル基としては、例えば、メトキシカルボニル基等があげられる。
【００３７】
一般式（２）において、Ｒ５、Ｒ６およびＲ７における置換または無置換のアルキル基は、好ましくは、総炭素原子数が１〜１８のアルキル基である。前記置換または無置換のアルキル基としては、例えば、エチル基、ｎ−ブチル基、ｎ−オクチル基、エチルヘキシル基、ヒドロキシエチル基、カルボキシプロピル基、カルボキシシクロヘキシルメチル基、１−カルボキシ−２−メルカプトエチル基、１−カルボキシ−２−カルバモイル−エチル基、１−イソプロピル−１−カルボキシメチル基、１，２−ジカルボキシプロピル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００３８】
一般式（２）において、Ｒ５、Ｒ６およびＲ７における置換または無置換のアルケニル基は、好ましくは、総炭素原子数２〜１８のアルケニル基である。前記置換または無置換のアルケニル基としては、例えば、２−メチル−１−プロペニル基、ビニル基、アリル基等があげられる。
【００３９】
一般式（２）において、Ｒ５、Ｒ６およびＲ７における置換または無置換のアリール基としては、例えば、３，４−ジカルボキシフェニル基、４−ブチルフェニル基、４−カルボキシフェニル基等があげられる。前記置換アリール基の置換基としては、例えば、前記置換アルキル基の置換基と同じものがあげられる。
【００４０】
一般式（２）において、Ｒ５、Ｒ６およびＲ７における置換または無置換のアラルキル基としては、例えば、ベンジル基、１−カルボキシ−２−フェニル−エチル基、１−カルボキシ−２−ヒドロキシフェニルエチル基、４−カルボキシベンジル基等があげられる。
【００４１】
一般式（２）において、Ｒ５、Ｒ６およびＲ７における置換または無置換の脂環基としては、例えば、シクロヘキシル基、４−カルボキシシクロヘキシル基等があげられる。
【００４２】
一般式（２）において、Ｒ５、Ｒ６およびＲ７における置換または無置換のヘテロ環基としては、例えば、ピリジル基、チアジアゾリル基、ベンゾチアゾリル基、２，２，６，６−テトラメチルピペリジニル基等があげられる。前記置換ヘテロ環基の置換基としては、例えば、前記置換アルキル基の置換基と同じものがあげられる。
【００４３】
一般式（２）において、Ｒ５、Ｒ６およびＲ７としては、少なくとも一つが１〜４個のカルボキシ基またはスルファモイル基で置換されているアルキル基、アルケニル基、アリール基、脂環基、アラルキル基若しくはヘテロ環基であってもよい。
【００４４】
一般式（２）において、Ｒ５およびＲ６は、それぞれ、水素原子または３置換フェニル基であってもよく、Ｒ５およびＲ６は同一でも異なっていてもよい。ここで、前記３置換フェニル基の三つの置換基は、それぞれ、水素原子、ハロゲン原子、水酸基、総炭素原子数が１〜９の置換または無置換のアルキル基、総炭素原子数が１〜９の置換または無置換のアルコキシ基、置換または無置換のカルバモイル基、置換または無置換のスルファモイル基、置換または無置換のアミノ基、ニトロ基、スルホン酸エステル基、カルボン酸エステル基であり、前記三つの置換基は、同一でも異なっていてもよい。
【００４５】
前記染料（２）の好ましい態様としては、例えば、一般式（２）において、Ｒ５、Ｒ６およびＲ７の少なくとも一つが、１〜４個のカルボキシ基またはスルファモイル基で置換されているアルキル基、アルケニル基、アリール基、アラルキル基若しくはシクロへキシル基である態様があげられる。
【００４６】
前記染料（２）は、その構造中に、スルホン酸基およびカルボキシ基またはこられの塩を合計で６個以下、好ましくは５個以下、特に好ましくは４個以下有することが好ましい。また、前記染料（２）は、遊離酸型のまま使用してもよいが、製造時に塩型で得られた場合はそのまま使用してもよいし、所望の塩型に変換してもよい。また、前記染料（２）は、酸基の一部が塩型のものであってもよく、塩型の色素と遊離酸型の色素が混在していてもよい。このような塩型としては、例えば、Ｎａ、Ｌｉ、Ｋ等のアルカリ金属の塩、アルキル基若しくはヒドロキシアルキル基で置換されていてもよいアンモニウムの塩、または有機アミンの塩等があげられる。前記有機アミンとしては、例えば、低級アルキルアミン、ヒドロキシ置換低級アルキルアミン、カルボキシ置換低級アルキルアミン、炭素原子数２〜４のアルキレンイミン単位を２〜１０個有するポリアミン等があげられる。これらの塩型の場合、その種類は、１種類に限られず複数種混在していてもよい。
【００４７】
前記染料（２）の好ましい態様としては、例えば、一般式（２）において、
ｒは、０であり、
Ｒ２は、カルボキシ基、カルバモイル基、トリフルオロメチル基またはスルファモイル基であり、
Ｒ３、Ｒ４およびＲ６は、それぞれ、水素原子であり、
Ｒ５は、カルボキシ基またはスルファモイル基で置換されてもよいフェニル基またはカルボキシアルキル基であり、
Ｒ７は、水素原子またはアルキル基である態様があげられる。
【００４８】
前記染料（２）の好ましい具体例としては、化学式（２−Ａ）〜（２−Ｅ）で表される化合物があげられる。
【００４９】
【化９】
2011111608.tif 000011
【００５０】
化学式（２−Ａ）で表される化合物は、一般式（２）において、
ｒは、０であり、
Ｒ２は、アゾ基に結合するフェニル基の２位に位置するカルボキシ基であり、
Ｒ３、Ｒ４およびＲ６は、それぞれ、水素原子であり、
Ｒ５は、２−カルボキシフェニル基であり、
Ｒ７は、水素原子である態様である。化学式（２−Ａ）で表される化合物において、ナフタレン環の３位および６位に位置するスルホン酸は、アンモニウム塩となっている。
【００５１】
【化１０】
2011111608.tif 000012
【００５２】
化学式（２−Ｂ）で表される化合物は、一般式（２）において、
ｒは、０であり、
Ｒ２は、アゾ基に結合するフェニル基の２位に位置するカルバモイル基であり、
Ｒ３、Ｒ４およびＲ６は、それぞれ、水素原子であり、
Ｒ５は、２−カルボキシフェニル基であり、
Ｒ７は、水素原子である態様である。化学式（２−Ｂ）で表される化合物において、ナフタレン環の３位および６位に位置するスルホン酸は、ナトリウム塩となっている。
【００５３】
【化１１】
2011111608.tif 000013
【００５４】
化学式（２−Ｃ）で表される化合物は、一般式（２）において、
ｒは、０であり、
Ｒ２は、アゾ基に結合するフェニル基の３位に位置するスルファモイル基であり、
Ｒ３、Ｒ４およびＲ６は、それぞれ、水素原子であり、
Ｒ５は、２−スルファモイルフェニル基であり、
Ｒ７は、イソプロピル基である態様である。化学式（２−Ｃ）で表される化合物において、ナフタレン環の３位および６位に位置するスルホン酸は、エチルアンモニウム塩となっている。
【００５５】
【化１２】
2011111608.tif 000014
【００５６】
化学式（２−Ｄ）で表される化合物は、一般式（２）において、
ｒは、０であり、
Ｒ２は、アゾ基に結合するフェニル基の２位に位置するトリフルオロメチル基であり、
Ｒ３、Ｒ４およびＲ６は、それぞれ、水素原子であり、
Ｒ５は、１−カルボキシ−２−メチルブチル基であり、
Ｒ７は、メチル基である態様である。化学式（２−Ｄ）で表される化合物において、ナフタレン環の３位および６位に位置するスルホン酸は、メチルアンモニウム塩となっている。
【００５７】
【化１３】
2011111608.tif 000015
【００５８】
化学式（２−Ｅ）で表される化合物は、一般式（２）において、
ｒは、０であり、
Ｒ２は、アゾ基に結合するフェニル基の２位に位置するカルボキシ基であり、
Ｒ３、Ｒ４およびＲ６は、それぞれ、水素原子であり、
Ｒ５は、フェニル基であり、
Ｒ７は、水素原子である態様である。化学式（２−Ｅ）で表される化合物において、ナフタレン環の３位および６位に位置するスルホン酸は、アンモニウム塩となっている。
【００５９】
前記染料（２）は、従来公知の方法で製造できる。前記染料（２）の製造方法の一例を、下記工程（Ａ）〜（Ｃ）に示す。
【００６０】
工程（Ａ）
まず、２−アミノ安息香酸（アントラニル酸）と１−アミノ−８−ヒドロキシ−３，６−ナフタレンジスルホン酸（Ｈ酸）とから常法（例えば、細田豊著「新染料化学」（昭和４８年１２月２１日、技報堂発行）３９６〜４０９頁参照）により、ジアゾ化、カップリング反応を経て、モノアゾ化合物を製造する。
【００６１】
工程（Ｂ）
つぎに、得られたモノアゾ化合物を塩化シアヌル懸濁液に加えて、数時間反応を行う。この際、反応液のｐＨを４〜６、温度を０℃〜５℃に維持する。この反応に続いて、室温にて液性がアルカリ性にならないように反応液に２−アミノ安息香酸（アントラニル酸）水溶液を加えて数時間縮合反応を行う。ついで、２５％水酸化ナトリウム水溶液を反応液温度５０℃〜６０℃で加え強アルカリ性とすることにより加水分解反応を行い、反応を完結させる。
【００６２】
工程（Ｃ）
反応終了後、反応液を冷却し、塩化ナトリウムで塩析することで、前記染料（２）が得られる。
【００６３】
前記染料（２）の配合量は、特に制限されない。水性インクに前記染料（２）を含ませることで、発色性を向上させることができる。前記染料（２）の配合量は、前記水性インク全量に対し、例えば、０．０５重量％〜５重量％であり、好ましくは、０．２重量％〜１．８重量％であり、より好ましくは、０．４重量％〜１．２重量％である。
【００６４】
前記水性インクにおける前記染料（１）と前記染料（２）との重量比は、染料（１）：染料（２）＝７０：３０〜９０：１０であることが好ましい。前記重量比を前記範囲とすることで、発色性と、耐オゾン性および耐光性とが、共に極めて良好な水性インクを得ることができる。
【００６５】
前記染料（１）と前記染料（２）との合計配合量は、特に制限されないが、前記水性インク全量に対し、２重量％〜６重量％であることが好ましい。前記合計配合量を前記範囲とすることで、発色性、耐オゾン性、耐光性および噴射安定性の全てが、極めて良好な水性インクを得ることができる。
【００６６】
前記着色剤は、前記染料（１）および前記染料（２）に加え、さらに他の染料および顔料等を含んでもよい。
【００６７】
前記水は、イオン交換水または純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００６８】
前記水溶性有機溶剤としては、例えば、インクジェットヘッドのノズル先端部における水性インクの乾燥を防止する湿潤剤および被記録媒体上での乾燥速度を調整する浸透剤があげられる。
【００６９】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００７０】
前記水性インク全量に対する前記湿潤剤の配合量（湿潤剤割合）は、例えば、０重量％〜９５重量％であり、好ましくは、５重量％〜８０重量％であり、さらに好ましくは、５重量％〜５０重量％である。
【００７１】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテルおよびトリプロピレングリコール−ｎ−ブチルエーテル等があげられる。前記浸透剤は、１種類を単独で用いてもよいし、２種類以上を併用してもよい。
【００７２】
前記水性インク全量に対する前記浸透剤の配合量（浸透剤割合）は、例えば、０重量％〜２０重量％である。前記浸透剤割合を前記範囲とすることで、前記水性インクの被記録媒体への浸透性を、より好適なものとできる。前記浸透剤割合は、好ましくは、０．１重量％〜１５重量％であり、より好ましくは、０．５重量％〜１０重量％である。
【００７３】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００７４】
前記水性インクは、例えば、着色剤、水および水溶性有機溶剤と、必要に応じて他の添加成分とを、従来公知の方法で均一に混合し、フィルタ等で不溶解物を除去することにより調製できる。
【００７５】
本発明の水性インクは、例えば、水性マゼンタインクとして用いることができる。ただし、本発明は、これに限定されない。本発明の水性インクは、前記染料（１）および前記染料（２）以外の着色剤を用いることにより、マゼンタ以外の色の水性インクとすることもできる。
【００７６】
つぎに、本発明のインクカートリッジについて説明する。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００７７】
つぎに、本発明のインクジェット記録装置について説明する。本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクカートリッジが収容されていることを特徴とする。これを除き、本発明のインクジェット記録装置の構成は、例えば、従来公知のインクジェット記録装置と同様であってもよい。
【００７８】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成部材として含む。
【００７９】
前記４つのインクカートリッジ２は、イエロー、マゼンタ、シアンおよびブラックの４色の水性インクを、それぞれ１色ずつ含む。例えば、前記水性マゼンタインクを含むインクカートリッジが、本発明のインクカートリッジである。前記インクジェットヘッド３は、記録紙等の被記録媒体Ｐに記録を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記駆動ユニット６としては、例えば、従来公知のものを使用できる（例えば、特開２００８−２４６８２１号公報参照）。前記プラテンローラ７は、前記キャリッジ５の往復方向に延び、前記インクジェットヘッド３と対向して配置されている。前記記録は、印字、印画、印刷等を含む。
【００８０】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の記録がなされる。前記被記録媒体Ｐは、その後、前記インクジェット記録装置１から排紙される。図１においては、前記被記録媒体Ｐの給紙機構及び排紙機構の図示を省略している。
【００８１】
前記パージ装置８は、前記インクジェットヘッド３の内部に溜まる気泡等を含んだ不良インクを吸引する。前記パージ装置８としては、例えば、従来公知のものを使用できる（例えば、特開２００８−２４６８２１号公報参照）。
【００８２】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、記録が終了すると前記リセット位置に戻される前記インクジェットヘッド３の複数のノズルを覆うものである。
【００８３】
前記インクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【実施例】
【００８４】
つぎに、本発明の実施例について比較例と併せて説明する。なお、本発明は、下記の実
施例および比較例により限定および制限されない。
【００８５】
［実施例１〜９および比較例１〜６］
インク組成成分（表２）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、実施例１〜９および比較例１〜６のインクジェット記録用水性インクを得た。なお、表２において、染料（１−Ａ）〜（１−Ｅ）は、それぞれ、表１に示す染料（１−Ａ）〜（１−Ｅ）で表される化合物であり、染料（２−Ａ）〜（２−Ｅ）は、それぞれ、化学式（２−Ａ）〜（２−Ｅ）で表される化合物である。
【００８６】
実施例および比較例の水性インクについて、（ａ）発色性評価、（ｂ）耐オゾン性評価、（ｃ）耐光性評価、（ｄ）噴射安定性評価および（ｅ）総合評価を、下記の方法により行った。なお、（ａ）発色性評価、（ｂ）耐オゾン性評価および（ｃ）耐光性評価に用いるサンプルは、つぎのようにして準備した。
【００８７】
まず、実施例および比較例の水性インクを、インクカートリッジに充填した。ついで、前記インクカートリッジを、ブラザー工業（株）製のインクジェットプリンタ搭載デジタル複合機ＤＣＰ−３８５Ｃに装着した。つぎに、ブラザー工業（株）製の写真光沢紙ＢＰ７１ＧＡに前記水性インクのグラデーションサンプルをプリントした。
【００８８】
（ａ）発色性評価
前記グラデーションサンプルを、目視にて観察し、マゼンタ色が充分に表現されているか否かを、下記の評価基準に従って評価した。
【００８９】
発色性評価  評価基準
Ａ：マゼンタ色を充分に表現できている。
Ｂ：マゼンタ色を表現できている。
Ｃ：マゼンタ色を表現できていない。
【００９０】
（ｂ）耐オゾン性評価
前記グラデーションサンプルのうち、初期ＯＤ値が１．０のパッチを評価サンプルとして用いた。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。スガ試験機（株）製のオゾンウェザーメーターＯＭＳ−Ｈを用いて、オゾン濃度１ｐｐｍ、槽内温度２４℃、槽内相対湿度６０％の条件下、前記パッチを４０時間放置した。ついで、前記放置後の前記パッチのＯＤ値を、前述と同様にして、測定した。つぎに、下記式（Ｉ）によりＯＤ値減少率（％）を求め、耐オゾン性を、下記の評価基準に従って評価した。なお、前記ＯＤ値減少率が小さいほど、画質の劣化が少なく、耐オゾン性に優れていたこととなる。
ＯＤ値減少率（％）＝｛（Ｘ−Ｙ）／Ｘ｝×１００      ・・・（Ｉ）
Ｘ：１．０（初期ＯＤ値）
Ｙ：放置後のＯＤ値
【００９１】
耐オゾン性評価  評価基準
Ａ：ＯＤ値減少率が、２０％未満
Ｂ：ＯＤ値減少率が、２０％以上３０％未満
Ｃ：ＯＤ値減少率が、３０％以上４０％未満
Ｄ：ＯＤ値減少率が、４０％以上
【００９２】
（ｃ）耐光性評価
前記グラデーションサンプルのうち、初期ＯＤ値が１．０のパッチを評価サンプルとして用いた。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。スガ試験機（株）製のスーパーキセノンウェザーメーターＳＸ７５を用いて、槽内温度２３℃、槽内相対湿度５０％、照度８１ｋｌｘの条件下、前記パッチにキセノンランプ光を１００時間照射した。ついで、前記照射後の前記パッチのＯＤ値を、前述と同様にして、測定した。つぎに、下記式（ＩＩ）によりＯＤ値減少率（％）を求め、耐光性を、下記の評価基準に従って評価した。なお、前記ＯＤ値減少率が小さいほど、画質の劣化が少なく、耐光性に優れていたこととなる。
ＯＤ値減少率（％）＝｛（Ｘ−Ｙ）／Ｘ｝×１００      ・・・（ＩＩ）
Ｘ：１．０（初期ＯＤ値）
Ｙ：照射後のＯＤ値
【００９３】
耐光性評価  評価基準
Ａ：ＯＤ値減少率が、２０％未満
Ｂ：ＯＤ値減少率が、２０％以上３０％未満
Ｃ：ＯＤ値減少率が、３０％以上４０％未満
Ｄ：ＯＤ値減少率が、４０％以上
【００９４】
（ｄ）噴射安定性評価
ブラザー工業（株）製のインクジェットプリンタ搭載デジタル複合機ＤＣＰ−３８５Ｃを使用し、富士通コワーコ（株）製のオフィス用紙Ｗ（記録用紙）上に、１億ドット（約３万枚）の連続記録を行った。前記連続記録の結果を、下記の評価基準に従って評価した。不吐出とは、インクジェットヘッドのノズルが目詰まりし、前記水性インクが吐出されない状態である。吐出曲がりとは、インクジェットヘッドのノズルの一部が目詰まりし、前記水性インクが、前記記録用紙に対して垂直に吐出されず、斜めに吐出される状態である。
【００９５】
噴射安定性評価  評価基準
Ａ：連続記録中において、不吐出および吐出曲がりが全くなかった。
Ｂ：連続記録中において、不吐出若しくは吐出曲がりが僅かにあったが、前記不吐出若しくは吐出曲がりが、共に５回以内のパージによって回復した。
Ｃ：連続記録中において、不吐出および吐出曲がりが多数有り、前記不吐出および吐出曲がりが、共に５回のパージでは回復しなかった。
【００９６】
（ｅ）総合評価
各水性インクについて、前記（ａ）〜（ｄ）の結果から、下記の評価基準に従って総合評価を行った。
【００９７】
総合評価  評価基準
Ｇ  ：すべての評価結果がＡまたはＢであった。
ＮＧ：評価結果のいずれかにＣまたはＤがあった。
【００９８】
実施例および比較例の水性インクの組成および評価結果を、表２に示す。
【００９９】
【表２】
2011111608.tif 000016
【０１００】
表２に示すとおり、染料（１）および染料（２）を組み合わせて用いた実施例では、評価結果が、良好であった。染料（１）と染料（２）との重量比が異なる実施例１〜５では、染料（１）：染料（２）＝７０：３０〜９０：１０（重量比）である実施例２〜４において、発色性と、耐オゾン性および耐光性とが、共に極めて良好であった。染料合計配合量が異なる実施例６〜９では、染料合計配合量が２重量％〜６重量％である実施例７および８において、耐オゾン性および耐光性と、噴射安定性とが、共に極めて良好であった。
【０１０１】
一方、染料（２）を含まない比較例１では、発色性が劣っていた。染料（１）を含まない比較例２では、耐オゾン性および耐光性が劣っていた。染料（２）に代えてＣ．Ｉ．アシッドレッド５２を用いた比較例３では、耐オゾン性および耐光性が劣っていた。染料（２）に代えてＣ．Ｉ．アシッドレッド２８９を用いた比較例４では、耐オゾン性および耐光性が劣っていた。染料（１）に代えてＣ．Ｉ．アシッドレッド５２を用いた比較例５では、耐オゾン性および耐光性が著しく劣っていた。染料（１）に代えてＣ．Ｉ．アシッドレッド２８９を用いた比較例６では、耐オゾン性および耐光性が著しく劣っていた。
【産業上の利用可能性】
【０１０２】
以上のように、本発明の水性インクは、発色性、耐オゾン性および耐光性のすべての性能に優れるものである。本発明の水性インクの用途は、特に限定されず、各種のインクジェット記録に広く適用可能である。
【符号の説明】
【０１０３】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2011111608.tif 000020